(57)【要約】【課題】ルーズフィットのパンツデザインを損なわずに、雪がパンツの裾口からパンツの内部に侵入することを抑制できるスノーボードパンツを提供する。【解決手段】本発明は、表地および裏地を股下部６０，７０に含むスノーボードパンツ１であって、股下部６０，７０において、裏地は、表地と裾口近傍７６のみで接合し、股下部６０，７０の裾の部分７０の裏地は、弾性を有し、伸ばした状態で裾の部分の裏地に接合された、裾口７４周りの方向に延びる弾性ベルト１３２を含む。【選択図】図２
2014001476.tif 000002
【特許請求の範囲】
【請求項１】
表地および裏地を股下部に含むスノーボードパンツであって、
前記股下部において、前記裏地は、前記表地と裾口近傍のみで接合し、
前記股下部の裾の部分の裏地は、弾性を有し、伸ばした状態で前記裾の部分の裏地に接合された、裾口周りの方向に延びる弾性ベルトを含む、スノーボードパンツ。
【請求項２】
前記裾の脇側または内股側を開閉自在にする裾開閉部を含み、
前記裾の部分は、前記裾開閉部を開放したときの開放部分を隠す、前記裾口まで延在するマチ部をさらに含む、請求項１に記載のスノーボードパンツ。
【請求項３】
前記股下部において、前記裏地は、前記裾開閉部で前記表地とさらに接合する、請求項２に記載のスノーボードパンツ。
【請求項４】
表地および裏地を含み、着用者の腰周りおよびヒップ周りを覆う腰部を含み、
前記股下部は、着用者のもも周りおよびひざ周りを覆う脚部を有し、
前記腰部および前記脚部の裏地は、前記裾の部分の裏地よりも高い保温性および吸湿性を有し、
前記裾の部分の裏地は、撥水性および／または防水性を有する、請求項１〜３のいずれか１項に記載のスノーボードパンツ。
【発明の詳細な説明】
【技術分野】
【０００１】
本発明は、スノーボードをするときに着用するパンツであるスノーボードパンツに関する。
【背景技術】
【０００２】
スノーボード競技には、ハーフパイプに代表されるフリースタイル系競技とスラロームに代表されるアルペン系競技とがある。フリースタイル系競技とアルペン系競技とでは、使用されるブーツおよびボードの材質や形状などが異なる。また、フリースタイル系競技とアルペン系競技とでは、スノーボーダーのスタンディングスタイルも異なる。アルペン系競技はスキーに近い競技であり、使用されるブーツは樹脂性のハードブーツであり、競技者用パンツには、空気の抵抗が少ない体に密着したものが用いられる。一方、フリースタイル系競技では、エアーターン時のグラブ（空中でボードを手で掴む姿勢のこと。）に代表される技をスノーボーダーが行えるようにするために、足首が深く曲がるソフトブーツが用いられ、着用されるウェアとしてウェア全体は動きやすい緩やかなものが用いられ、ゆとりをもってスノーボーダーがパンツを着用できるようにするために、パンツの脚部がスノーボーダーの足の長さよりも長くなっている。しかし、何れのスタイルにしても、スノーボーダーとスキーヤーの大きな違いは、リフトに乗るときに、スキーヤーはスキーを装着したまま、リフトに着席するのに対し、スノーボーダーは、片足をバインディング（ドイツから日本に入ってきたスキーでは、ビンディングと呼ばれるが、同じものである。）から外して、雪面を蹴ってリフト乗車位置まで進んでリフトに着席し、リフトから降りてからバインディングにブーツを取り付ける動作を繰り返す。ルーズフィット（体に密着させず、余裕を持たせて着用する衣服。）を着用するフリースタイル系のスノーボードパンツでは、スノーボードパンツの脚部がスノーボーダーの足の長さよりもかなり長いため、ボードからブーツを外すと、スノーボードパンツの裾は雪面に引きずられることになる。アルペン系競技の場合もスノーボードパンツの脚部は長めになっていており、アルペン系競技はスピードを求める競技なので、転倒時だけでなく、急なブレーキングでも雪がパンツの裾の内側に舞い上げられる。
【０００３】
リフトに乗るために、スノーボーダーが片足をバインディングから外したとき、スノーボードパンツの裾が雪面に引きずられないようにし、雪がパンツの裾からパンツの内部に入り込まないようにするための方法として、たとえば、特許文献１に示すズボンのように、ズボンの膝下部位の内壁面に上部接続部によってつり下げた管状部をスノーボードパンツに設ける方法がある。管状部はスノーボードブーツの筒部と密着し、これにより、裾口からスノーボードパンツの内部に雪が侵入することを防止できるとともに、スノーボーダーが片足をバインディングから外したときに、スノーボードパンツの裾が雪面に引きずられないようにすることができる。
【先行技術文献】
【特許文献】
【０００４】
【特許文献１】実開２００２−２１２８０７号公報
【発明の概要】
【発明が解決しようとする課題】
【０００５】
しかしながら、競技者は別として、一般のスノーボーダーは、スノーボードパンツにファッション性を求める。特許文献１に記載の管状部を設けたスノーボードパンツ着用した場合、スノーボードブーツの筒部と密着した管状部によって、スノーボードパンツの表地が引っ張られ、スノーボードパンツのゆったりとした外観が損なわれる場合がある。
【０００６】
本発明は、スノーボードパンツにファッション性を求めるスノーボーダーの要求に鑑み、ルーズフィットのパンツデザインを損なわずに、雪がパンツの裾口からパンツの内部に侵入することを抑制できるスノーボードパンツを提供することを目的とする。
【課題を解決するための手段】
【０００７】
本発明は、上記課題を解決するため、以下の構成を採用した。
すなわち、本発明は、表地および裏地を股下部に含むスノーボードパンツであって、股下部において、裏地は、表地と裾口近傍のみで接合し、股下部の裾の部分の裏地は、弾性を有し、伸ばした状態で裾の部分の裏地に接合された、裾口周りの方向に延びる弾性ベルトを含む。
【発明の効果】
【０００８】
本発明によれば、ルーズフィットのパンツデザインを損なわずに、雪がパンツの裾口からパンツの内部に侵入することを抑制できる。
【図面の簡単な説明】
【０００９】
【図１】図１は、本発明の一実施形態のスノーボードパンツの外観の正面図である。
【図２】図２は、本発明の一実施形態のスノーボードパンツの裏地を説明するための図である。
【図３】図３は、本発明の一実施形態のスノーボードパンツを作製するときの裾部裏地と弾性ベルトとの間の接合を説明するための図である。
【図４】図４は、本発明の一実施形態のスノーボードパンツを着用した着用者がスノーボード用ブーツを履いたときのスノーボートパンツを説明するための図である。
【図５】図５は、本発明の一実施形態のスノーボードパンツを着用した着用者がスノーボード用ブーツをバインディングに装着したときのスノーボードパンツを説明するための図である。
【図６】図６は、本発明の一実施形態のスノーボードパンツの裾開閉部を開放したときの外観を示す図である。
【発明を実施するための形態】
【００１０】
以下、図を参照して、本発明の一実施形態におけるスノーボードパンツを説明する。図１は、スノーボードパンツの外観の正面図である。スノーボードパンツ１は、股止まり１０より上の股上部２０と股止まり１０より下の股下部５０とからなる。
【００１１】
股上部２０は、スノーボートパンツ１のウエスト口２２のウエスト口周りに沿って設けられたスノーカフ２４と、ウエスト口２２のウエスト口周りに沿って、スノーカフ２４の下に設けられたウエストバンド２６と、ウエストバンド２６の下に設けられ、着用者の腰周りおよびヒップ周りを覆う腰部２８とを有する。スノーカフ２４は、スノーボードパンツ１の中にウエスト口２２から雪が侵入することを防止する。スノーカフ２４の上部には、ウエスト口周りの方向に延設された、伸縮性を有する弾性バンド３２が設けられている。この弾性バンド３２により、スノーカフ２４を着用者の腰周りに密着させることができる。また、スノーカフ２４の前には、たとえば、面ファスナにより構成されたスノーカフ開閉部３４が設けられている。これにより、スノーカフ２４の前は開閉自在になる。なお、スノーボードパンツの中にウエスト口から雪が侵入することを上着によって防止できる場合、上述のようなスノーカフをスノーボードパンツに設けなくてもよい。
【００１２】
ウエストバンド２６には、ベルト通し３６と、ウエストバンド２６のウエスト口周りの方向の長さを調整するアジャスタ部３８とが設けられている。腰部２８には、両脇側には脇ポケット４２が、および前には前開閉部４４が設けられている。前開閉部４４は、たとえばスライドファスナから構成される。これにより、腰部２８の前は開閉自在になる。
【００１３】
股下部５０は、着用者のもも周りおよびひざ周りを覆う脚部６０と、股下部５０の裾の部分の裾部７０とを有する。裾部７０の脇側には、裾開閉部７２が設けられている。裾開閉部７２は、たとえば、スノーボートパンツ１の丈の方向に延び、裾口７４に至るスライドファスナから構成される。これにより、裾部の脇側は開閉自在になる。なお、裾部７０の内股側に裾開閉部を設けて、裾部の内股側を開閉自在にしてもよい。
【００１４】
スノーボードパンツ１の表地には、伸縮性を有し、撥水性および／または防水性を有する生地を使用してもよい。撥水性とは、表面で水をはじく性質であり、防水性とは、水が中にしみ込まない性質である。
【００１５】
次に、図２を参照して、スノーボードパンツ１の裏地を説明する。図２は、スノーボードパンツ１の裏地を説明するための図である。
【００１６】
スノーカフ２４の生地は、ウエストバンド２６の領域まで延在しており、スノーカフ２４の生地がウエストバンド２６の裏地になる。このスノーカフ２４およびウエストバンド２６の裏地（以下、２つを合わせて、ウエスト口ウエストバンド裏地１１０と呼ぶ）は、撥水性および／または防水性を有する。これにより、雪が溶けることによって形成された水によってスノーボードパンツ１の中が濡れることを抑制できる。ウエスト口ウエストバンド裏地１１０は、たとえば、ポリエステル系繊維、アクリル系繊維、ポリプロピレン繊維、ポリオレフィン繊維、ポリアミド系繊維、ポリウレタン系繊維などの撥水性および／または防水性を有する繊維またはフッ素加工などの撥水および／または防水処理された繊維などから作製される。また、樹脂フィルムを使用してウエスト口ウエストバンド裏地を作製してもよい。ウエスト口ウエストバンド裏地１１０は、ウエストバンド２６の部分で表地と縫合される。
【００１７】
ウエスト口ウエストバンド裏地１１０の下には、本体部裏地１２０が設けられている。本体部裏地１２０は、スノーボードパンツ１の腰部２６および脚部６０の裏地である。本体部裏地１２０は、上述のウエスト口ウエストバンド裏地１１０および後述の裾部裏地１３０に比べて、高い保温性および吸湿性を有する。保温性とは、着用者から発生した熱が外部へ逃げることを抑制する性質である。吸湿性とは、着用者から排出された汗などの水分を吸収する性質である。本体部裏地１２０には、たとえば、ウール、セラミックを練り込んだ繊維、中空繊維、絹（シルク）、綿などの繊維が用いられる。また、パイル編みなど繊維の編み方または織り方によって本体部裏地１２０に用いる生地の中の空気層を増加させて、本体部裏地１２０の保温性および吸湿性を高めてもよい。これにより、スノーボーディングを行っているときにスノーボートパンツ１の中が蒸れることを抑制でき、スノーボーディングを行った後、着用者の下半身が冷えるのを抑制できる。本体部裏地１２０のウエスト口２２側の端は、ウエスト口ウエストバンド裏地１１０の裾口７４側の端と縫合している。通気性を良好にするために、本体部裏地１２０は、メッシュ構造を有していてもよい。本体部裏地１２０は、前開閉部４４において、腰部２８の表地と縫合し、接合している。
【００１８】
本体部裏地１２０の下には、裾部７０の裏地である裾部裏地１３０が設けられている。裾部裏地１３０は、撥水性および／または防水性を有する。これにより、雪が溶けることによって形成された水によってスノーボードパンツ１の中が濡れることを抑制できる。裾部裏地１３０は、たとえば、ポリエステル系繊維、アクリル系繊維、ポリプロピレン繊維、ポリオレフィン繊維、ポリアミド系繊維、ポリウレタン系繊維、中空繊維などの撥水性および／または防水性を有する繊維またはフッ素加工などの撥水および／または防水処理された繊維などから作製される。裾部裏地１３０のウエスト口２２側の端は、本体部裏地１２０の裾口７４側の端と縫合している。裾部裏地１３０は、裾口近傍７６で裾部７０の表地と縫合し、接合している。
【００１９】
裾部裏地１３０には、裾口周りの方向に延びている弾性ベルト１３２が設けられている。弾性ベルト１３２は、弾性を有し、たとえば、イソプレンゴム、ブタジエンゴムおよびスチレン／ブタジエンゴムなどの汎用ゴム、クロロプレンゴム、ニトリルゴム、ブチルゴム、エチレン／プロピレンゴムおよびクロロスルホン化ポリエチレンなどの準汎用ゴム、アクリルゴム、多硫化系ゴム、フッ素ゴム、シリコーンゴムおよびポリウレタンエラストマなどの特殊ゴムおよび天然ゴムなどから形成される。弾性ベルト１３２は、縫着（縫合）または熱圧着により裾部裏地１３０に接合される。
【００２０】
図３（ａ）に示すように、弾性ベルト１３２は、伸ばした状態で裾部裏地１３０に接合される。したがって、弾性ベルト１３２が収縮することによって、図３（ｂ）に示すように、弾性ベルト１３２が設けられた裾部裏地１３０における、弾性ベルト１３２が延びる方向の長さは、弾性ベルト１３２が設けられていない裾部裏地１３０における、弾性ベルト１３２が延びる方向の長さに比べて小さくなる。このため、図２に示すように、弾性ベルト１３２が設けられている部分における裾部裏地１３０の裾口周りの方向の長さは、弾性ベルト１３２が設けられていない場合の長さに比べて小さくなる。
【００２１】
図２に示すように、股下部５０において、裏地１２０，１３０は、裾口近傍７６以外で表地と接合していないので、裾口近傍７６以外では、股下部５０において、裏地１２０，１３０は、表地から剥離自在になる。また、上述したように、弾性ベルト１３２が設けられている部分における裾部裏地１３０の裾口周りの方向の長さは小さくなっている。このため、図４に示すように、スノーボートパンツ１の着用者がスノーボードブーツ２００を履いたとき、弾性ベルト１３２がスノーボードブーツ２００の筒部２１０と密着して、裾口７４からスノーボードパンツ１の内部に雪が侵入することを抑制するとともに、表地１５２のルーズな状態は維持される。
【００２２】
また、図５に示すように、着用者がスノーボード３１０に乗って雪上を滑走するために、バインディング３２０にスノーボードブーツ２００を装着した場合も、弾性ベルト１３２が、バインディング３２０が取り付けられているスノーボードブーツ２００の筒部２２０と密着して、裾口７４からスノーボードパンツ１の内部に雪が侵入することを抑制するとともに、表地１５２のルーズな状態は維持される。
【００２３】
次に、図６を参照して、裾部７０に設けられた裾開閉部７２を説明する。図６は、裾部７０の裾開閉部７２を開放したときの外観を示す図である。
【００２４】
たとえば、図６に示すようにスライドファスナで裾開閉部７２を構成することができる。また、裾開閉部７２を開放したとき、すなわち、スライダ１３４をエレメント１３６の端まで移動させて、スライドファスナを開放したとき、開放された２つのエレメント１３６の間の開放部分を隠すマチ部１４４を２つのエレメント１３６に縫合してもよい。マチ部１４４は、裾口７４まで延在していることが好ましい。これにより、裾開閉部７２を開放したときに雪がスノーボードブーツの中に侵入することを抑制できる。
【００２５】
裾開閉部７２を開放したときに、マチ部１４４が表地１５２と同じように見えるようにするために、マチ部１４４の色、柄などは、表地１５２の色、柄などと同一であることが好ましい。また、マチ部１４４の生地は、表地１５２の生地と同一でもよいし、異なっていてもよい。マチ部１４４の生地には、撥水性および／または防水性を有する生地を使用することが好ましい。
【００２６】
裾開閉部７２を裾部７０に設けることによって裾口７４の裾周りの長さを調整することができる。たとえば、リフトに乗るために、着用者が片足をバインディングから外したとき（図４参照）、スノーボードパンツの裾７４が雪面にさらに引きずられないようにするために、裾開閉部７２を閉じて裾口７４の裾周りの長さを小さくすることができる。
【００２７】
一方、着用者がスノーボード３１０に乗って雪上を滑走するために、バインディング３２０にスノーボードブーツ２００を装着したとき（図５参照）、バインディング３２０が取り付けられているスノーボードブーツ２００の筒部２２０は、バインディング３２０が取り付けられていないときのスノーボードブーツ２００の筒部２１０に比べて太くなる。このとき、裾口７４の裾周りの長さが小さいと、スノーボードパンツ１の裾がバインディング３２０にスノーボードブーツ２００を装着するときに邪魔になったり、バインディング３２０が取り付けられているスノーボードブーツ２００の筒部２２０に、スノーボードパンツ１の裾部７０を被せることが難しくなったりする場合がある。
【００２８】
本発明の一実施形態におけるスノーボードパンツ１では、着用者がバインディング３２０にスノーボードブーツ２００を装着するときは、裾開閉部７２を開放して裾口７４の裾周りの長さを大きくすることができる。したがって、裾開閉部７２を開放することによって、スノーボードパンツ１の裾がバインディング３２０にスノーボードブーツ２００を装着するときに邪魔にならないようにしたり、バインディング３２０が取り付けられているスノーボードブーツ２００の筒部２２０に、スノーボードパンツ１の裾部７０を被せることを容易にしたりすることができる。
【００２９】
とくにスノーボードでは、着用者は、リフトに乗り降りするたびに、バインディング３２０にスノーボードブーツ２００を装着したり、バインディング３２０からスノーボード２００を外したりしなくてはならないので、裾開閉部７２を開閉することで裾口７４の裾周りの長さを調整することができる、本発明の一実施形態におけるスノーボードパンツ１は、非常に便利である。
【００３０】
また、裾開閉部７２を開閉することで裾口７４の裾周りの長さを調整することができるので、多様な太さの筒部２１０を有するスノーボードブーツ２００に本発明の一実施形態におけるスノーボードパンツ１は対応できる。たとえば、スノーボードブーツに設けられた紐をきつく締めるためのボタンが設けられ、筒部が見かけ上、太くなったスノーボードブーツに対しても本発明の一実施形態におけるスノーボードパンツ１は対応することができる。
【００３１】
以上の一実施形態によるスノーボードパンツ１は、次のような作用効果を奏する。
（１）股下部５０において、裏地１２０，１３０は、表地と裾口近傍７６のみで接合し、股下部５０の裾部７０の裏地１３０は、弾性を有し、伸ばした状態で裾部７０の裏地１３０に接合された、裾口７４周りの方向に延びる弾性ベルト１３０を含むようにした。これにより、スノーボードパンツ１におけるルーズフィットのパンツデザインを損なわずに、雪がスノーボードパンツ１の裾口７４からスノーボードパンツ１の内部に侵入することを抑制できる。
【００３２】
（２）裾部７０の脇側または内股側を開閉自在にする裾開閉部７２を含み、裾部７０は、裾開閉部７２を開放したときの開放部分を隠す、裾口７４まで延在するマチ部１４４をさらに含むようにした。これにより、裾口７４の裾周りの長さを調整することができるとともに、裾開閉部７２を開放したときに雪がスノーボードブーツの中に侵入することを抑制できる。
【００３３】
（３）表地および裏地を含み、着用者の腰周りおよびヒップ周りを覆う腰部２８を含み、股下部５０は、着用者のもも周りおよびひざ周りを覆う脚部６０を有し、腰部２８および脚部６０の本体部裏地１２０は、裾部裏地１３０よりも高い保温性および吸湿性を有し、裾部裏地１３０は、撥水性および／または防水性を有するようにした。これにより、雪が溶けることによって形成された水によってスノーボードパンツ１の中が濡れることを抑制できるとともに、スノーボーディングを行っているときにスノーボートパンツ１の中が蒸れることを抑制でき、スノーボーディングを行った後、着用者の下半身が冷えることを抑制できる。すなわち、これにより、スノーボードパンツ１のはき心地が良好になる。
【００３４】
以上の一実施形態によるスノーボードパンツ１を、次のように変形することができる。
（１）股下部５０において、表地の強度の高い部分で裏地を表地とさらに接合するようにしてもよい。これにより、股下部５０において、裏地が表地に対してねじれてしまうことを抑制できる。表地の強度の高い部分としては、たとえば裾開閉部７２がある。裾開閉部７２は、裾部７２を開閉させるための構成要素、たとえば、スライドファスナのエレメントを設けたテープが表地に逢着されているので、表地の強度は高くなっている。股下部５０の裏地を、表地からできるだけ剥離自在にするために、裾開閉部７２全体ではなく、裾開閉部７２の一部で、裏地を表地と接合することが好ましい。たとえば、図６に示すようにスライドファスナを全開させたときのスライダ１３４近傍の領域で、裏地を表地と逢合することにより、裏地を表地と接合してもよい。
【００３５】
（２）本発明の一実施形態におけるスノーボードパンツ１は、スキー競技を行うときに着用してもよい。すなわち、本発明の一実施形態におけるスノーボードパンツ１をスキーパンツとして使用してもよい。
【００３６】
以上の説明はあくまで一例であり、本発明は上記実施形態の構成になんら限定されるものではない。
【符号の説明】
【００３７】
１    スノーボードパンツ
１０    股止まり
２０    股上部
２２    ウエスト口
２４    スノーカフ
２６    ウエストバンド
２８    腰部
３２    弾性バンド
５０    股下部
６０    脚部
７０    裾部
７２    裾開閉部
７４    裾口
７６    裾口近傍
１１０    ウエスト口ウエストバンド裏地
１２０    本体部裏地
１３０    裾部裏地
１３２    弾性ベルト
１３４    スライダ
１３６    エレメント
１４４    マチ部
１５２    表地
２００    スノーボードブーツ
２１０    筒部
３１０    スノーボード
３２０    バインディング
【図１】
2014001476.tif 000003
【図２】
2014001476.tif 000004
【図３】
2014001476.tif 000005
【図４】
2014001476.tif 000006
【図５】
2014001476.tif 000007
【図６】
2014001476.tif 000008